(57)【要約】【課題】  複数のサービスネットワークを同一のバックボーンネットワークに収容する場合であり、さらにバックボーンネットワークの制御情報とバックボーンネットワークを経てサービスネットワーク間を送受信される情報とが分離されている場合において、サービスネットワークの制御情報の転送効率を上げることを課題とする。【解決手段】  エッジノード２は、サービスネットワーク７から送信されたサービスネットワークの制御情報を、カプセル化によってバックボーンネットワークの制御情報に含め、サービスネットワーク８へ向けて転送するバックボーン情報処理部を備える構成とした。【選択図】      図１
2006238250.tif 000002
【特許請求の範囲】
【請求項１】
第１のサービスネットワーク及び第２のサービスネットワークを収容するバックボーンネットワークであって、
前記バックボーンネットワークは、
前記バックボーンネットワークと前記第１のサービスネットワークとを接続する第１のエッジノードと、
前記バックボーンネットワークと前記第２のサービスネットワークとを接続する第２のエッジノードと、
を備え、
前記第１のエッジノードは、前記第１のサービスネットワークから送信されたサービスネットワークの制御情報を、カプセル化によって前記バックボーンネットワークの制御情報に含め、前記第２のサービスネットワークへ向けて転送するバックボーン情報処理部
を備えることを特徴とするバックボーンネットワーク。
【請求項２】
前記第１のエッジノードは、
前記第１のサービスネットワークから送信されたサービスネットワークの制御情報をバックボーン情報処理部に転送する処理と、前記第１のサービスネットワークから送信されたサービスネットワークの制御情報以外の情報をカプセル化せずに前記第２のサービスネットワークへ向けて前記バックボーンネットワーク内で転送する処理とを行うサービス情報処理部
をさらに備え、
前記バックボーン情報処理部は、
前記サービス情報処理部から転送されたサービスネットワークの制御情報を、カプセル化によって前記バックボーンネットワークの制御情報に含め、前記第２のサービスネットワークへ向けて転送する処理を行うこと
を特徴とする請求項１に記載のバックボーンネットワーク。
【請求項３】
前記バックボーンネットワークは、
前記第１のエッジノードと前記第２のエッジノードとの間で転送される情報の中継を行う１以上のコアノードをさらに備え、
前記１以上のコアノードは、隣接ノードから転送されたサービスネットワークの制御情報をカプセル化によって含められた状態のまま前記第２のサービスネットワークへ向けて前記バックボーンネットワーク内で転送するバックボーン情報処理部と、
隣接ノードから転送されたサービスネットワークの制御情報以外の情報をカプセル化されていない状態のまま前記第２のサービスネットワークへ向けて転送するサービス情報処理部と、
を備えることを特徴とする請求項１に記載のバックボーンネットワーク。
【請求項４】
前記第２のエッジノードは、
隣接ノードから転送された、カプセル化によってバックボーンネットワークの制御情報に含められたサービスネットワークの制御情報を抽出するバックボーン情報処理部
を備えることを特徴とする請求項１に記載のバックボーンネットワーク。
【請求項５】
前記第２のエッジノードは、
サービス情報処理部をさらに備え、
前記バックボーン情報処理部は、抽出された前記サービスネットワークの制御情報を前記サービス情報処理部に転送し、
前記サービス情報処理部は、
前記バックボーン情報処理部から転送されたサービスネットワークの制御情報と隣接ノードから転送されたサービスネットワークの制御情報以外の情報とを前記第２のサービスネットワークへ向けて転送する処理を行うこと
を特徴とする請求項４に記載のバックボーンネットワーク。
【請求項６】
第１のサービスネットワーク及び第２のサービスネットワークを収容するバックボーンネットワーク内の情報転送装置であって、
前記情報転送装置は、前記第１のサービスネットワークから送信されたサービスネットワークの制御情報を、カプセル化によって前記バックボーンネットワークの制御情報に含め、第２のサービスネットワークへ向けて転送すること
を特徴とする情報転送装置。
【請求項７】
第１のサービスネットワーク及び第２のサービスネットワークを収容するバックボーンネットワーク内のコンピュータによる情報転送方法であって、
前記情報転送方法は、前記コンピュータが、前記第１のサービスネットワークから送信されたサービスネットワークの制御情報を、カプセル化によって前記バックボーンネットワークの制御情報に含め、第２のサービスネットワークへ向けて転送するカプセル化転送ステップ
を含むことを特徴とする情報転送方法。
【請求項８】
前記カプセル化転送ステップは、
前記コンピュータ内のサービス情報処理部が、前記第１のサービスネットワークから送信されたサービスネットワークの制御情報を前記コンピュータ内のバックボーン情報処理部に転送する処理を行う第１のステップと、
前記バックボーン情報処理部が、前記第１のステップにおいて転送されたサービスネットワークの制御情報を、カプセル化によって前記バックボーンネットワークの制御情報に含め、前記第２のサービスネットワークへ向けて前記バックボーンネットワーク内で転送する処理を行う第２のステップと、
を含むことを特徴とする請求項７に記載の情報転送方法。
【請求項９】
第１のサービスネットワーク及び第２のサービスネットワークを収容するバックボーンネットワーク内で、コンピュータに情報の転送処理を行わせる情報転送プログラムであって、
前記情報転送プログラムは、前記コンピュータに、前記第１のサービスネットワークから送信されたサービスネットワークの制御情報をカプセル化によって前記バックボーンネットワークの制御情報に含ませ、第２のサービスネットワークへ向けて前記バックボーンネットワーク内で転送させること
を特徴とする情報転送プログラム。
【発明の詳細な説明】
【技術分野】
【０００１】
本発明は、複数のサービスネットワークを同一のバックボーンネットワークに収容する場合において、バックボーンネットワークの制御情報とバックボーンネットワークを経てサービスネットワーク間を送受信される情報とが分離されている場合におけるバックボーンネットワーク、情報転送装置、情報転送方法、及び情報転送プログラムに関する。
【背景技術】
【０００２】
複数のサービスネットワークを同一のバックボーンネットワークに収容する場合において、バックボーンネットワークは、サービスネットワーク間で送受信する情報を転送する必要がある。サービスネットワーク間で送受信される情報としては、サービスネットワークの制御情報とサービスネットワークの制御情報以外の情報とがあるが、従来の技術として、バックボーンネットワークが、サービスネットワークの制御情報とサービスネットワークの制御情報以外の情報とを区別せずに、双方ともバックボーンネットワーク内で転送する方法がある（非特許文献１参照）。
【非特許文献１】「Generalized Multi-Protocol Label Switching(GMPLS) Architecture」，IETF，［online］，2004年10月掲載，［2005年1月21日検索］，インターネット＜ftp://ftp.rfc-editor.org/in-notes/rfc3945.txt＞
【発明の開示】
【発明が解決しようとする課題】
【０００３】
しかしながら、従来の技術では、サービスネットワークの制御情報がバックボーンネットワークに到着すると、それを契機に、バックボーンネットワークの制御が起動される。そしてバックボーンネットワークの制御情報が転送されることによって、バックボーンネットワーク内でサービスネットワークの制御情報を転送するためのパスが設定され、設定されたパスを利用してサービスネットワークの制御情報が転送される。つまり、サービスネットワークの制御情報は、バックボーンネットワークに到着してから、バックボーンネットワーク内での転送が始まるまでの間、バックボーンネットワークの入口で待たされる状態となり、転送効率が悪いという問題がある。
【０００４】
そこで本発明は、以上のような問題点に鑑みてなされたものであり、複数のサービスネットワークを同一のバックボーンネットワークに収容する場合であり、さらにバックボーンネットワークの制御情報とバックボーンネットワークを経てサービスネットワーク間を送受信される情報とが分離されている場合において、サービスネットワークの制御情報の転送効率を上げることによって、効率的にバックボーンネットワーク網を運用することを可能にするバックボーンネットワーク、情報転送装置、情報転送方法、及び情報転送プログラムを提供することを課題とする。
【課題を解決するための手段】
【０００５】
本発明は、前記課題を解決するために創案されたものであり、まず、請求項１に記載のバックボーンネットワークは、第１のサービスネットワーク及び第２のサービスネットワークを収容するバックボーンネットワークであって、前記バックボーンネットワークは、前記バックボーンネットワークと前記第１のサービスネットワークとを接続する第１のエッジノードと、前記バックボーンネットワークと前記第２のサービスネットワークとを接続する第２のエッジノードと、を備え、前記第１のエッジノードは、前記第１のサービスネットワークから送信されたサービスネットワークの制御情報を、カプセル化によって前記バックボーンネットワークの制御情報に含め、前記第２のサービスネットワークへ向けて転送するバックボーン情報処理部を備える構成とした。
【０００６】
ここで、サービスネットワークとは、通信サービスを提供するネットワークのことである。また、バックボーンネットワークとは、複数のサービスネットワークを提供する上で共通的に使用される大容量の基幹通信回線ネットワークのことである。サービスネットワークの制御情報とは、サービスネットワーク内の経路情報の交換、経路設定、及び解放等を行うための情報のことであり、バックボーンネットワークの制御情報とは、バックボーンネットワーク内の経路情報の交換、経路設定、及び解放等を行うための情報のことである。
【０００７】
また、エッジノードとはバックボーンネットワークとサービスネットワークを接続するノードのことである。
【０００８】
かかる構成によれば、第１のサービスネットワークが送信したサービスネットワークの制御情報が第１のエッジノードに到着すると、第１のエッジノードのバックボーン情報処理部は、カプセル化によってバックボーンネットワークの制御情報に含め、第２のサービスネットワークへ転送する。バックボーンネットワークの制御情報を転送するパスはノード間にあらかじめ張り巡らされているものであり、転送前にパスの設定を行う必要がない。したがって、サービスネットワークの制御情報が第１のエッジノードに到着するたびにパスの設定を行う必要がなくなり、転送効率を上げることができる。
【０００９】
また、請求項２に記載のバックボーンネットワークは、請求項１に記載のバックボーンネットワークにおいて、前記第１のエッジノードが、前記第１のサービスネットワークから送信されたサービスネットワークの制御情報をバックボーン情報処理部に転送する処理と、前記第１のサービスネットワークから送信されたサービスネットワークの制御情報以外の情報をカプセル化せずに前記第２のサービスネットワークへ向けて前記バックボーンネットワーク内で転送する処理とを行うサービス情報処理部をさらに備え、前記バックボーン情報処理部は、前記サービス情報処理部から転送されたサービスネットワークの制御情報を、カプセル化によって前記バックボーンネットワークの制御情報に含め、前記第２のサービスネットワークへ向けて転送する処理を行う構成とした。
【００１０】
ここで、サービスネットワークの制御情報以外の情報とは、サービスネットワークのユーザ間で交換されるユーザデータのことである。
【００１１】
かかる構成によれば、第１のエッジノードのサービス情報処理部において、サービスネットワークの制御情報とサービスネットワークの制御情報以外の情報とを振り分け、サービスネットワークの制御情報だけをバックボーンネットワークの制御情報転送用のリンク上で転送することができる。バックボーンネットワークの制御情報転送用のリンクは通常１００Ｍｂｉｔ／ｓ程度であり、バックボーンネットワーク内転送用のリンクは通常２．５から１０Ｇｂｉｔ／ｓ程度であるため、バックボーンネットワーク内転送用のリンクの転送能力の方が圧倒的に大きい。したがって、サービスネットワークの制御情報だけをカプセル化によって前記バックボーンネットワークの制御情報に含め、転送することによって、バックボーンネットワーク内転送用のリンクに対して大きな負荷をかけることを防ぐことができる。
【００１２】
さらに、請求項３に記載のバックボーンネットワークは、請求項１に記載のバックボーンネットワークにおいて、前記バックボーンネットワークが、前記第１のエッジノードと前記第２のエッジノードとの間で転送される情報の中継を行う１以上のコアノードをさらに備え、前記１以上のコアノードは、隣接ノードから転送されたサービスネットワークの制御情報をカプセル化によって含められた状態のまま前記第２のサービスネットワークへ向けて前記バックボーンネットワーク内で転送するバックボーン情報処理部と、隣接ノードから転送されたサービスネットワークの制御情報以外の情報をカプセル化されていない状態のまま前記第２のサービスネットワークへ向けて転送するサービス情報処理部と、を備える構成とした。
【００１３】
ここで、コアノードとはバックボーンネットワーク内において、エッジノード間の転送を中継するノードのことであり、直接的にはエッジノード間、エッジノードとコアノード、又はコアノード間を接続するノードのことである。
【００１４】
かかる構成によれば、コアノードのバックボーン情報処理部は、カプセル化によって含められた状態のサービスネットワークの制御情報をそのまま第２のサービスネットワークへ向けてバックボーンネットワーク内で転送することができ、また、コアノードのサービス情報処理部は、カプセル化されていない状態のサービスネットワークの制御情報以外の情報をそのまま第２のサービスネットワークへ向けて転送することができる。したがって、コアノードは、エッジノード間でカプセル化によって含められた状態のサービスネットワークの制御情報とサービスネットワークの制御情報以外の情報とを転送する際の中継をすることができる。
【００１５】
また、請求項４に記載のバックボーンネットワークは、請求項１に記載のバックボーンネットワークにおいて、前記第２のエッジノードが、隣接ノードから転送された、カプセル化によってバックボーンネットワークの制御情報に含められたサービスネットワークの制御情報を抽出するバックボーン情報処理部を備える構成とした。
【００１６】
かかる構成によれば、第２のエッジノードのバックボーン情報処理部は、カプセル化によってバックボーンネットワークの制御情報に含められたサービスネットワークの制御情報を抽出し、サービスネットワークの制御情報とバックボーンネットワークの制御情報とを取得することができる。
【００１７】
さらに、請求項５に記載のバックボーンネットワークは、請求項４に記載のバックボーンネットワークにおいて、前記第２のエッジノードが、サービス情報処理部をさらに備え、前記バックボーン情報処理部は、抽出された前記サービスネットワークの制御情報を前記サービス情報処理部に転送し、前記サービス情報処理部は、前記バックボーン情報処理部から転送されたサービスネットワークの制御情報と隣接ノードから転送されたサービスネットワークの制御情報以外の情報とを前記第２のサービスネットワークへ向けて転送する処理を行う構成とした。
【００１８】
かかる構成によれば、第２のエッジノードのサービス情報処理部は、第１のエッジノードからカプセル化によってバックボーンネットワークの制御情報に含められて転送されたサービスネットワークの制御情報と、隣接ノードからバックボーンネットワーク内で転送されたサービスネットワークの制御情報以外の情報とを取得し、第２のサービスネットワークへ転送することができる。
【００１９】
また、請求項６に記載の情報転送装置は、第１のサービスネットワーク及び第２のサービスネットワークを収容するバックボーンネットワーク内の情報転送装置であって、前記情報転送装置が、前記第１のサービスネットワークから送信されたサービスネットワークの制御情報を、カプセル化によって前記バックボーンネットワークの制御情報に含め、第２のサービスネットワークへ向けて転送する構成とした。
【００２０】
さらに、請求項７に記載の情報転送方法は、第１のサービスネットワーク及び第２のサービスネットワークを収容するバックボーンネットワーク内のコンピュータによる情報転送方法であって、前記情報転送方法が、前記コンピュータが、前記第１のサービスネットワークから送信されたサービスネットワークの制御情報を、カプセル化によって前記バックボーンネットワークの制御情報に含め、第２のサービスネットワークへ向けて転送するカプセル化転送ステップを含む構成とした。
【００２１】
また、請求項８に記載の情報転送方法は、請求項７に記載の情報転送方法において、前記カプセル化転送ステップは、前記コンピュータ内のサービス情報処理部が、前記第１のサービスネットワークから送信されたサービスネットワークの制御情報を前記コンピュータ内のバックボーン情報処理部に転送する処理を行う第１のステップと、前記バックボーン情報処理部が、前記第１のステップにおいて転送されたサービスネットワークの制御情報を、カプセル化によって前記バックボーンネットワークの制御情報に含め、前記第２のサービスネットワークへ向けて前記バックボーンネットワーク内で転送する処理を行う第２のステップと、を含む構成とした。
【００２２】
さらに、請求項９に記載の情報転送プログラムは、第１のサービスネットワーク及び第２のサービスネットワークを収容するバックボーンネットワーク内で、コンピュータに情報の転送処理を行わせる情報転送プログラムであって、前記情報転送プログラムが、前記コンピュータに、前記第１のサービスネットワークから送信されたサービスネットワークの制御情報をカプセル化によって前記バックボーンネットワークの制御情報に含ませ、第２のサービスネットワークへ向けて前記バックボーンネットワーク内で転送させる構成とした。
【発明の効果】
【００２３】
本発明によれば、複数のサービスネットワークを同一のバックボーンネットワークに収容する場合であり、バックボーンネットワークの制御情報とバックボーンネットワークを経てサービスネットワーク間を送受信される情報とが分離されている場合において、バックボーンネットワークは、サービスネットワークの制御契機と、バックボーンネットワークの制御契機とを同期することが可能となり、制御手順もサービスネットワークとバックボーンネットワークとで独立ではなく、併合して行うことが可能となるため、効率的にネットワーク網を運用することが可能となる。
【発明を実施するための最良の形態】
【００２４】
次に、本発明を実施するための最良の形態（以下、「実施形態」という）について図面を参照して説明する。
図１は、本発明の一実施形態に係るネットワーク構成の全体図である。図１に示すようにバックボーンネットワーク１は、エッジノード２と、コアノード３と、エッジノード４とを備えている。また、エッジノード２とコアノード３との間に制御情報リンク５とデータ転送リンク６とが張られている。コアノード３とエッジノード４との間にも同様に制御情報リンク５とデータ転送リンク６とが張られている。ここで、コアノード３の個数は説明の都合上、１つに限定して示してあるが、個数は特に限定されるものではない。
【００２５】
サービスネットワーク７は、エッジノード２によってバックボーンネットワーク１に接続されている。また、サービスネットワーク８は、エッジノード４によってバックボーンネットワーク１に接続されている。サービスネットワーク７は、ノード７ａを備え、ノード７ａとエッジノード２との間にリンク７ｂが張られている。サービスネットワーク８は、ノード８ａを備え、ノード８ａとエッジノード４との間にリンク８ｂが張られている。ここで、ノード７ａ，８ａ、リンク７ｂ，８ｂの個数は説明の都合上、各サービスネットワークに１つずつとして限定して示してあるが、これらの個数は特に限定されるものではない。
【００２６】
制御情報リンク５とは、バックボーンネットワーク１の制御情報を転送するリンクである。データ転送リンク６とは、バックボーンネットワーク１を介して、サービスネットワーク７とサービスネットワーク８との間で転送する情報を転送するリンクである。
【００２７】
このように、バックボーンネットワーク１の制御情報と、バックボーンネットワーク１を経てサービスネットワーク７とサービスネットワーク８との間で送受信される情報とが分離されている。なお、本実施形態では、サービスネットワーク７において情報を送信し、サービスネットワーク８において情報を受信する場合を例にとって説明する。
【００２８】
エッジノード２、コアノード３、エッジノード４、ノード７ａ、及びノード８ａは、スイッチング機能を有する装置である。例えば、ＧＭＰＬＳ（Generalized Multi Protocol Label Switching）のＬＳＲ（Label Switching Router）、波長クロスコネクト、ルータなどが相当する。制御情報リンク５、データ転送リンク６、リンク７ｂ、及びリンク８ｂは、ノード間を接続し、情報を転送する媒体である。例えば、光ファイバなどが相当する。
【００２９】
以下、図２から図４を参照して、送信側エッジノード、コアノード、及び受信側エッジノードの構成について詳細に説明する。図２から図４において、ノード内の処理で情報はそのまま転送されるので、ノードを通過する前後において、情報には同一の符号を付してある。また、本実施形態においては、エッジノード間で転送される情報を１つのコアノードが中継することとしたが、コアノードの数は特に限定されるものではない。
【００３０】
＜エッジノード２の説明＞
まず、図２を参照して、送信側エッジノードの構成について説明する。図２は、本発明の一実施形態に係る送信側エッジノードの構成を示すブロック図である。図２において、エッジノード２は、サービス情報処理部２１とバックボーン情報処理部２２とを含んで構成される。
【００３１】
サービス情報処理部２１は、まず、サービスネットワーク７内のノード７ａからリンク７ｂを通して送信されたサービスネットワークの制御情報ＳＩ又はサービスネットワークの制御情報以外の情報ＳＮを受信する。その後、ポート番号などの情報種別を元にサービスネットワークの制御情報ＳＩとサービスネットワークの制御情報以外の情報ＳＮとを振り分ける。
【００３２】
それらが振り分けられた後、サービスネットワークの制御情報ＳＩは、内部転送経路２３を通して、バックボーン情報処理部２２へ転送される。他方、サービスネットワークの制御情報以外の情報ＳＮは、データ転送リンク６を通して、コアノード３へ転送される。
【００３３】
バックボーン情報処理部２２は、まず、サービス情報処理部２１から内部転送経路２３を通して送信されたサービスネットワークの制御情報ＳＩを受信する。その後、サービスネットワークの制御情報ＳＩを、バックボーンネットワークの制御情報ＢＫ上にカプセル化用オブジェクトとして定義したパラメータ内にカプセル化することによって含め、カプセル化されたバックボーンネットワークの制御情報ＣＰとして、コアノード３へ転送する。
【００３４】
以上、本発明の一実施形態に係る送信側エッジノードの構成について説明したが、エッジノード２は、コンピュータに送信側エッジノードのプログラムを実行させ、コンピュータ内の演算装置や記憶装置を動作させることにより実現される。
【００３５】
＜コアノード３の説明＞
次に、図３を参照して、コアノードの構成について説明する。図３は、本発明の一実施形態に係るコアノードの構成を示すブロック図である。図３において、コアノード３は、サービス情報処理部３１とバックボーン情報処理部３２とを含んで構成される。
【００３６】
バックボーン情報処理部３２は、まず、エッジノード２のバックボーン情報処理部２２（図２参照）から制御情報リンク５を通して転送された、カプセル化されたバックボーンネットワークの制御情報ＣＰを受信する。その後、カプセル化されたバックボーンネットワークの制御情報ＣＰを、そのまま制御情報リンク５を通してエッジノード４へ透過転送する。
【００３７】
サービス情報処理部３１は、サービス情報処理部２１（図２参照）からデータ転送リンク６を通して転送されたサービスネットワークの制御情報以外の情報ＳＮを受信する。その後、サービスネットワークの制御情報以外の情報ＳＮをカプセル化されていない状態のままデータ転送リンク６を通してエッジノード４へ転送する。
【００３８】
以上、本発明の一実施形態に係るコアノードの構成について説明したが、コアノード３は、コンピュータにコアノードのプログラムを実行させ、コンピュータ内の演算装置や記憶装置を動作させることにより実現される。
【００３９】
＜エッジノード４の説明＞
次に、図４を参照して、受信側エッジノードの構成について説明する。図４は、本発明の一実施形態に係るエッジノードの構成を示すブロック図である。図４において、エッジノード４は、サービス情報処理部４１とバックボーン情報処理部４２とを含んで構成される。
【００４０】
バックボーン情報処理部４２は、まず、コアノード３のバックボーン情報処理部３２（図３参照）から制御情報リンク５を通して送信された、カプセル化されたバックボーンネットワークの制御情報ＣＰを受信する。その後、カプセル化されたバックボーンネットワークの制御情報ＣＰからサービスネットワークの制御情報ＳＩを抽出し、エッジノード４の内部転送経路４３を通して、抽出したサービスネットワークの制御情報ＳＩをサービス情報処理部４１へ転送する。
【００４１】
サービス情報処理部４１は、バックボーン情報処理部４２からエッジノード４の内部転送経路４３を通して転送されたサービスネットワークの制御情報ＳＩを、リンク８ｂを通してサービスネットワーク８内のノード８ａへ転送する。また、サービス情報処理部４１は、隣接ノードから転送されたサービスネットワークの制御情報以外の情報ＳＮも同様に、リンク８ｂを通してサービスネットワーク８内のノード８ａへ転送する。
【００４２】
以上、本発明の一実施形態に係る受信側エッジノードの構成について説明したが、エッジノード４は、コンピュータに受信側エッジノードのプログラムを実行させ、コンピュータ内の演算装置や記憶装置を動作させることにより実現される。
【００４３】
以上の構成により、サービスネットワーク７において送信されたサービスネットワークの制御情報ＳＩは、エッジノード２に到着すると、バックボーンネットワーク１内でサービスネットワークの制御情報を転送するためのパスが設定されるのを待たずして、カプセル化によってバックボーンネットワークの制御情報ＢＫに含められて、カプセル化されたバックボーンネットワークの制御情報ＣＰとなり、制御情報リンク５を通って転送される。カプセル化されたバックボーンネットワークの制御情報ＣＰはコアノード３を経由してエッジノード４によって受信される。エッジノード４では、カプセル化されたバックボーンネットワークの制御情報ＣＰが受信され、バックボーンネットワークの制御情報ＢＫの転送処理が完了する。また、カプセル化されたバックボーンネットワークの制御情報ＣＰは、サービスネットワークの制御情報ＳＩが抽出され、サービスネットワーク８へ転送され、サービスネットワークの制御情報ＳＩの転送処理も完了する。
【００４４】
このように、サービスネットワークの制御情報ＳＩをカプセル化によってバックボーンネットワークの制御情報ＢＫに含ませ、カプセル化されたバックボーンネットワークの制御情報ＣＰとして転送することで、サービスネットワーク７，８の制御契機とバックボーンネットワーク１の制御契機とを同期することが可能となり、制御手順についても、サービスネットワーク７，８とバックボーンネットワーク１とで独立ではなく、併合して行うことが可能となるため、効率的にネットワーク網を運用することが可能となる。
【００４５】
また、本実施形態においては、２つのサービスネットワークを収容するバックボーンネットワークについて説明してきたが、３つ以上のサービスネットワークを収容する場合であっても、そのうち２つのサービスネットワークの組み合わせを選択し、本発明を適用することで、本発明の効果を得ることが可能である。
【図面の簡単な説明】
【００４６】
【図１】一実施形態に係るネットワーク構成の全体図である。
【図２】一実施形態に係る送信側エッジノードの構成を示すブロック図である。
【図３】一実施形態に係るコアノードの構成を示すブロック図である。
【図４】一実施形態に係る受信側エッジノードの構成を示すブロック図である。
【符号の説明】
【００４７】
１      バックボーンネットワーク
２，４  エッジノード
３      コアノード
５      制御情報リンク
６      データ転送リンク
７，８  サービスネットワーク
２１，３１，４１  サービス情報処理部
２２，３２，４２  バックボーン情報処理部
ＳＩ    サービスネットワークの制御情報
ＳＮ    サービスネットワークの制御情報以外の情報
ＢＫ    バックボーンネットワークの制御情報
ＣＰ    カプセル化されたバックボーンネットワークの制御情報
【図１】
2006238250.tif 000003
【図２】
2006238250.tif 000004
【図３】
2006238250.tif 000005
【図４】
2006238250.tif 000006